(57)【要約】【課題】リモコン装置４が探索される時間帯に応じて適切な報知動作が行なわれる電子機器を提供する。【解決手段】本発明に係るリモコン機能付き電子機器は、機器本体と、該機器本体に対してリモコン信号を送信するリモコン装置４とから構成され、機器本体は、リモコン装置４を探索するための装置探索操作に応じてリモコン装置４へロケータ信号を送信するロケータ送信部を具える一方、リモコン装置４は、機器本体から送られてくるロケータ信号を受信するロケータ受信部44、音声発生部48、振動発生部49、発光部50及びシステムコントローラ41を具えている。該システムコントローラ41は、装置探索操作が行なわれた時間帯に応じて、音声発生部48、振動発生部49及び発光部50による報知動作を変更する。【選択図】図２
2009060212.tif 000002
【特許請求の範囲】
【請求項１】
機器本体と、該機器本体に対してリモートコントロール信号を送信するリモートコントロール装置とから構成され、機器本体は、リモートコントロール装置を探索するための装置探索操作に応じてリモートコントロール装置へロケータ信号を送信するロケータ送信手段を具える一方、リモートコントロール装置は、機器本体から送られてくるロケータ信号を受信するロケータ受信手段と、該ロケータ受信手段によるロケータ信号の受信に応じて動作する報知手段と、該報知手段の報知動作を制御する制御手段とを具えている電子機器において、
前記リモートコントロール装置の制御手段は、装置探索操作が行なわれた時間帯に応じて前記報知手段による報知動作を変更するリモートコントロール機能付き電子機器。
【請求項２】
前記機器本体は、
時間帯毎に前記報知手段の動作パターンを表わす報知動作パターン情報が格納されている情報格納手段と、
ユーザによって装置探索操作が行なわれたときに、その時点の時刻が属する時間帯についての報知動作パターン情報を前記情報格納手段から読み出す情報読出し手段と、
前記情報読出し手段によって読み出された報知動作パターン情報を含むロケータ信号の送信を前記ロケータ送信手段に指令する送信指令手段
とを具えており、前記リモートコントロール装置の制御手段は、ロケータ受信手段によって受信されたロケータ信号に含まれる報知動作パターン情報に応じた動作パターンで前記報知手段を動作させる請求項１に記載のリモートコントロール機能付き電子機器。
【請求項３】
前記機器本体は、現在時刻を計時する時計手段を具えており、前記情報読出し手段は、該時計手段から得られる現在時刻情報の表わす時刻が属する時間帯についての報知動作パターン情報を前記情報格納手段から読み出す請求項２に記載のリモートコントロール機能付き電子機器。
【請求項４】
前記機器本体は、現在時刻情報を含むテレビジョン放送信号を受信するテレビジョン放送受信手段を具えており、前記情報読出し手段は、該テレビジョン放送受信手段によって受信されたテレビジョン放送信号から現在時刻情報を抽出し、抽出した現在時刻情報の表わす時刻が属する時間帯についての報知動作パターン情報を前記情報格納手段から読み出す請求項２に記載のリモートコントロール機能付き電子機器。
【請求項５】
前記機器本体は、ユーザによる情報入力操作に応じて報知動作パターン情報を前記情報格納手段に格納する情報処理手段を具えている請求項２乃至請求項４の何れかに記載のリモートコントロール機能付き電子機器。
【請求項６】
前記リモートコントロール装置の報知手段は、音響の発生による報知を行なう音響発生手段と、振動の発生による報知を行なう振動発生手段と、光の発生による報知を行なう発光手段とを具えており、報知動作パターン情報には、音響の発生、振動の発生、若しくは光の発生、或いはこれらの組合せの何れの方法によって報知を行なうかを表わす報知方法情報が含まれている請求項１乃至請求項５の何れかに記載のリモートコントロール機能付き電子機器。
【請求項７】
報知動作パターン情報には、音量レベル、振動の強弱、若しくは発光量、或いはこれらの組合せを表わす報知レベル情報が含まれている請求項６に記載のリモートコントロール機能付き電子機器。
【発明の詳細な説明】
【技術分野】
【０００１】
本発明は、テレビジョン受像機、カーナビゲーション装置、オーディオプレーヤ等の電子機器に関し、特にリモートコントロール装置を具えて遠隔制御の可能な電子機器に関するものである。
【背景技術】
【０００２】
従来、リモートコントロール装置を紛失した場合に該リモートコントロール装置を探索することが可能なリモートコントロール(以下、リモコンという)機能付きの電子機器が提案されている(特許文献１〜５)。
この様な電子機器においては、ユーザが機器本体を操作することにより、リモコン装置を探索するためのリモコン探索信号(ロケータ信号)が機器本体から発せられ、該ロケータ信号をリモコン装置が受信すると、該リモコン装置が音声を発することでその位置を報知する。
【０００３】
【特許文献１】特開平６−１６５２６７号公報［H04Q9/00］
【特許文献２】実開平６−５２２９３号公報［H04Q9/00］
【特許文献３】特開２００１−６９５７９号公報［H04Q9/00］
【特許文献４】特開２００２−３２０２７９号公報［H04Q9/00］
【特許文献５】特開２００４−３２８７５８９号公報［H04Q9/00］
【発明の開示】
【発明が解決しようとする課題】
【０００４】
しかしながら、リモコン装置の探索が可能な従来の電子機器においては、リモコン装置が探索される時間帯に拘わらず、常に同じ音量で同じ音声による報知が行なわれるため、例えばユーザが深夜にリモコン装置の探索を行なった場合には、昼間と同じ大きな音量で音声による報知が行なわれることとなって、周囲に迷惑をかける虞がある。
そこで本発明の目的は、リモコン装置の探索が行なわれる時間帯に応じて適切な報知動作が行なわれる電子機器を提供することである。
【課題を解決するための手段】
【０００５】
本発明に係るリモコン機能付き電子機器は、機器本体と、該機器本体に対してリモートコントロール信号を送信するリモートコントロール装置とから構成され、機器本体は、リモートコントロール装置を探索するための装置探索操作に応じてリモートコントロール装置へロケータ信号を送信するロケータ送信手段を具える一方、リモートコントロール装置は、機器本体から送られてくるロケータ信号を受信するロケータ受信手段と、該ロケータ受信手段によるロケータ信号の受信に応じて動作する報知手段と、該報知手段の報知動作を制御する制御手段とを具えている。
そして、前記リモートコントロール装置の制御手段は、装置探索操作が行なわれた時間帯に応じて前記報知手段による報知動作を変更する。
【０００６】
上記リモコン機能付き電子機器においては、リモコン装置を探索するべく所定の操作が行なわれると、機器本体からリモコン装置へロケータ信号が送信され、リモコン装置によりロケータ信号が受信されて報知手段が動作し、これによってリモコン装置の位置がユーザに報知される。このとき、装置探索操作が行なわれた時間帯に応じて、音声の発生、振動の発生、若しくは光の発生、或いはこれらの組合せによって報知が行なわれる。又、このとき、該時間帯に応じた音量レベルで音声が発生し、該時間帯に応じた強さの振動が発生し、或いは該時間帯に応じた発光量の光が発生する。例えば、深夜に装置探索操作が行なわれた場合には、振動のみによる報知、或いは小音量の音響による報知が行なわれることとなり、周囲に迷惑がかかることを防止することが出来る。
上記リモコン機能付き電子機器によれば、装置探索操作が行なわれた時間帯に応じて報知動作が自動的に変更されるので、時間帯が変わる度に報知動作を変更する操作は不要である。
【０００７】
具体的には、前記機器本体は、
時間帯毎に前記報知手段の動作パターンを表わす報知動作パターン情報が格納されている情報格納手段と、
ユーザによって装置探索操作が行なわれたときに、その時点の時刻が属する時間帯についての報知動作パターン情報を前記情報格納手段から読み出す情報読出し手段と、
前記情報読出し手段によって読み出された報知動作パターン情報を含むロケータ信号の送信を前記ロケータ送信手段に指令する送信指令手段
とを具えており、前記リモートコントロール装置の制御手段は、ロケータ受信手段によって受信されたロケータ信号に含まれる報知動作パターン情報に応じた動作パターンで前記報知手段を動作させる。
【０００８】
又、前記機器本体は、現在時刻を計時する時計手段を具えており、前記情報読出し手段は、該時計手段から得られる現在時刻情報の表わす時刻が属する時間帯についての報知動作パターン情報を前記情報格納手段から読み出す。
或いは、前記機器本体は、現在時刻情報を含むテレビジョン放送信号を受信するテレビジョン放送受信手段を具えており、前記情報読出し手段は、該テレビジョン放送受信手段によって受信されたテレビジョン放送信号から現在時刻情報を抽出し、抽出した現在時刻情報の表わす時刻が属する時間帯についての報知動作パターン情報を前記情報格納手段から読み出す。
【０００９】
上記具体的構成においては、装置探索操作が行なわれた時間帯についての報知動作パターン情報を含むロケータ信号が機器本体からリモコン装置へ送信され、リモコン装置では、該報知動作パターン情報に応じた動作パターンで報知手段が動作する。この様にして、装置探索操作が行なわれた時間帯に応じた適切な動作パターンで報知動作が行なわれることになる。
【００１０】
更に具体的には、前記機器本体は、ユーザによる情報入力操作に応じて報知動作パターン情報を前記情報格納手段に格納する情報処理手段を具えている。従って、ユーザにとって、時間帯に応じた最適な報知動作パターン情報を設定することが出来る。
【発明の効果】
【００１１】
本発明に係るリモコン機能付き電子機器によれば、リモコン装置が探索される時間帯に応じて適切な報知動作が行なわれる。
【発明を実施するための最良の形態】
【００１２】
以下、本発明をデジタルテレビジョン受像機に実施した形態につき、図面に沿って具体的に説明する。
本発明に係るデジタルテレビジョン受像機は、図１に示すテレビジョン受像機本体(１)と図２に示すリモコン装置(４)とから構成され、テレビジョン受像機本体(１)には、赤外線のリモコン信号を受信するリモコン受光素子(27)と、電波のロケータ信号を送信するロケータ送信アンテナ(29)とが配備される一方、リモコン装置(４)には、赤外線のリモコン信号を送信するリモコン発光素子(43)と、電波のロケータ信号を受信するロケータ受信アンテナ(45)とが配備されている。
【００１３】
図１に示すテレビジョン受像機本体(１)においては、テレビジョン放送アンテナ(11)によって受信した電波は、先ずチューナ(12)によって高周波処理及び復調処理を受けた後、ＤＥＭＡＸ回路(13)に供給されて、音響映像(ＡＶ)データとＳＩ(Service  Information)情報とが分離される。ＡＶデータは、ＡＶデコーダ(14)に供給されて映像信号と音声信号とが分離され、映像信号は映像処理回路(15)に供給されて、該回路(15)による信号処理を受けた後、映像合成回路(16)に供給される。映像合成回路(16)では、映像処理回路(15)からの映像信号とＯＳＤ表示回路(23)からのＯＳＤ(On  Screen  Display)信号とがスーパーインポーズ処理により合成され、これによって得られた合成映像信号は、映像出力回路(17)からディスプレイ(18)に出力される。これによって、ディスプレイ(18)には、現在放送中の番組の映像が映し出されると共に、後述の図５乃至図１０に示す画面が表示されることになる。尚、ＯＳＤ表示回路(23)から映像合成回路(16)にＯＳＤ信号が供給されない場合には、映像処理回路(15)からの映像信号のみが映像出力回路(17)からディスプレイ(18)に出力され、これによって、ディスプレイ(18)には、現在放送中の番組の映像のみが映し出されることになる。
【００１４】
又、上述の如くＡＶデコーダ(14)にて分離された音声信号は音声処理回路(19)に供給されて、該回路(19)による信号処理を受けた後、音声出力回路(20)からスピーカ(21)に出力される。これによって、スピーカ(21)から現在放送中の番組の音声が出力されることになる。
【００１５】
上記のチューナ(12)、ＤＥＭＡＸ回路(13)、ＡＶデコーダ(14)、音声処理回路(19)及びＯＳＤ表示回路(23)は、マイクロコンピュータから構成されるシステムコントローラ(22)に接続されており、チューナ(12)、ＡＶデコーダ(14)及びＯＳＤ表示回路(23)は、該システムコントローラ(22)によって動作が制御されている。該システムコントローラ(22)から音声処理回路(19)に音声信号が供給され、該音声信号は該回路(19)による信号処理を受けた後、音声出力回路(20)からスピーカ(21)に出力される。
【００１６】
上記システムコントローラ(22)には、後述の報知動作パターンテーブルを含む各種の情報が格納されているメモリ(24)と、リモコン装置(４)を探索するときに操作すべきリモコン探索ボタンを含む本体操作部(25)と、リモコン受光素子(27)を通じてリモコン信号を受信するリモコン受信部(26)と、ロケータ送信アンテナ(29)へロケータ信号を送信するロケータ送信部(28)とが接続されている。
【００１７】
図３は、上記メモリ(24)に格納されている報知動作パターンテーブルを表わしており、該テーブルには、報知方法情報等の報知動作パターン情報と、リモコン装置(４)の周期情報と、テレビジョン受像機本体(１)のＩＤ情報とが格納されている。
本実施例においては、１日を早朝、午前、午後及び深夜の４つの時間帯に分けて、時間帯毎にリモコン装置(４)による報知動作パターン情報を設定することが可能であって、報知動作パターン情報としては、早朝、午前、午後及び深夜の各時間帯について、報知方法情報、報知種別情報、及び報知レベル情報が格納されている。報知方法情報は、音声の発生、振動の発生、若しくは光の発生、或いはこれらの組合せの何れの方法によって報知を行なうかを表わしている。報知種別情報は、音声の発生による報知の場合はメロディパターン、振動の発生による報知の場合は振動の強弱パターン、光の発生による報知の場合は発光色のパターンを表わしている。報知レベル情報は、音声の発生による報知の場合は音量レベル、振動の発生による報知の場合は振動の強弱、光の発生による報知の場合は発光量を表わしている。
又、本実施例のリモコン装置(４)は、内蔵されている電池の消耗の進行を抑制するべく一定の周期で起動されるものであって、周期情報として、リモコン装置(４)の起動周期情報と、リモコン装置(４)に対する最後の操作時点からその後の操作を無効とするまでの時間情報とが格納されている。
【００１８】
図１に示すシステムコントローラ(22)は、リモコン受信部(26)からのリモコン信号を受けて、該リモコン信号に応じたＯＳＤ制御信号をＯＳＤ表示回路(23)に供給する。この結果、図６乃至図１０に示す画面がディスプレイ(18)に表示されることになる。又、上記システムコントローラ(22)は、図６乃至図１０に示す画面を表示させて入力された情報をメモリ(24)内の報知動作パターンテーブルに格納する。
【００１９】
又、上記システムコントローラ(22)は、本体操作部(25)のリモコン探索ボタンが押下されて該本体操作部(25)から操作信号を受けたとき、ＤＥＭＡＸ回路(13)から供給されるＳＩ情報から現在時刻情報を抽出し、該現在時刻情報の表わす時刻が属する時間帯についての報知動作パターン情報及びテレビジョン受像機本体(１)のＩＤ情報をメモリ(24)内の前記報知動作パターンテーブルから読み出した後、読み出した報知動作パターン情報及びＩＤ情報を含むロケータ信号を作成してロケータ送信部(28)に供給すると共に、リモコン装置の探索中である旨を表示すべき旨のＯＳＤ制御信号をＯＳＤ表示回路(23)に供給する。この結果、テレビジョン受像機本体(１)からリモコン装置(４)にロケータ信号が送信されると共に、図５に示す画面がディスプレイ(18)に表示されることになる。
【００２０】
図２に示すリモコン装置(４)は、マイクロコンピュータから構成されるシステムコントローラ(41)と、リモコン発光素子(43)へリモコン信号を送信するリモコン送信部(42)と、ロケータ受信アンテナ(45)を通じてロケータ信号を受信するロケータ受信部(44)と、複数の操作キーからなるリモコン操作キー群(46)と、リモコン探索時の報知動作情報やリモコン装置(４)のＩＤ情報等の各種の情報が格納されているメモリ(47)と、音声を発する音声発生部(48)と、振動を発生する振動発生部(49)と、ＬＥＤからなる発光部(50)とを具えている。前記リモコン操作キー群(46)は、図４に示す如く、選局する際に操作すべき操作キーや報知動作パターン情報を入力する際に操作すべき矢印キー及び決定キーを具えている。尚、前記報知動作情報は、前記報知動作パターンテーブルに格納されている報知動作パターン情報に含まれる報知種別情報及び報知レベル情報と対応付けられてメモリ(47)に格納されている。
【００２１】
図２に示すロケータ受信部(44)によってロケータ信号が受信されると、システムコントローラ(41)は、先ず、該ロケータ信号に含まれるＩＤ情報がメモリ(47)に格納されているＩＤ情報と一致するか否かを判断し、一致する場合には、該ロケータ信号に含まれている報知動作パターン情報に応じた報知動作情報をメモリ(47)から読み出し、読み出した報知動作情報に応じて、音声発生部(48)、振動発生部(49)及び発光部(50)の報知動作を制御する。
【００２２】
上記デジタルテレビジョン受像機において、時間帯毎に報知動作パターン情報を設定する際には、先ず、図６に示すメインメニュー画面がディスプレイに表示される。該画面には、報知動作パターン情報の設定を行なう際に選択すべき項目“ロケータリモコン設定”、映像及び音声に関する設定を行なう際に選択すべき項目“映像・音声”、システムに関する設定を行なう際に選択すべき項目“システム設定”、設置場所の設定を行なう際に選択すべき項目“設置設定”及びデジタル放送の受信に関する設定を行なう際に選択すべき項目“デジタル詳細設定”が表示される。
【００２３】
“ロケータリモコン設定”が選択されると、図７に示すロケータリモコン設定画面がディスプレイに表示される。該画面には、報知方法の設定や確認を行なう際に選択すべき項目“報知方法設定・確認”、リモコン装置の起動周期の設定を行なう際に選択すべき項目“周期設定”、テレビジョン受像機本体のＩＤ情報の設定を行なう際に選択すべき項目“ＩＤ設定”、及び報知動作パターン情報の設定内容をテストする際に選択すべき項目“ロケータテスト”が表示される。
【００２４】
“報知方法設定・確認”が選択されると、図８に示す報知方法設定・確認画面がディスプレイに表示される。該画面の左側部には、４つの項目“早朝”、“午前”、“午後”及び“深夜”が表示される。又、該画面の右側部には、その時点で設定されている報知方法が表示されており、図８に示す例では、早朝は音のみによる報知、午前は振動と音による報知、午後は光のみによる報知、深夜は振動と光による報知が設定されている。
【００２５】
例えば“深夜”が選択されると、図９に示す報知方法詳細設定画面がディスプレイに表示される。該画面の左側部には、項目“報知方法”、“報知種別”及び“報知レベル”が表示され、該画面の右側部には、その時点で設定されている報知方法、報知種別及び報知レベルが表示される。図９に示す例では、報知方法として、振動と光による報知が設定されており、報知種別としては、振動による報知はワンパターンで行なうこと、及び光による報知は７色で発光することにより行なうことが設定されている。又、報知レベルとしては、通常レベルが設定されている。
【００２６】
例えば報知方法を変更すべく“報知方法”が選択されると、図１０に示す如く、設定可能な全ての報知方法がディスプレイに表示される。本実施例においては、音のみによる報知、光のみによる報知、振動のみによる報知、音と光による報知、音と振動による報知、及び振動と光による報知の設定が可能であって、図１０に示す例では、振動のみによる報知が選択されている。尚、上述の選択は、図４に示すリモコン装置の矢印キーを用いて画面上のカーソルを選択せんとする項目まで移動させた後、決定キーを押下することにより行なうことが出来る。
上記デジタルテレビジョン受像機においては、図６乃至図１０に示す画面を順次ディスプレイに表示させて選択操作を行なうだけの簡単な操作によって、ユーザにとって時間帯に応じた最適な報知動作パターン情報を設定することが出来る。
【００２７】
図１１は、上記テレビジョン受像機本体(１)のシステムコントローラ(22)によって実行される報知動作パターンテーブル変更手続きを表わしている。尚、該手続きは繰り返される。先ずステップＳ１にてリモコン受信部によってリモコン信号が受信されたか否かを判断し、ノーと判断された場合は手続きを終了する一方、イエスと判断された場合にはステップＳ２に移行して、受信されたリモコン信号の解析を行なう。次にステップＳ３では、リモコン信号の解析結果に基づいてＯＳＤ制御信号を作成し、該ＯＳＤ制御信号をＯＳＤ表示回路に出力した後、ステップＳ４にて、決定キーが押下されたか否かを判断し、ノーと判断された場合はステップＳ１に戻る。その後、決定キーが押下されると、ステップＳ５にて、入力された情報をメモリ内の報知動作パターンテーブルに格納して、手続きを終了する。
上記手続きによって、リモコン装置(４)に対する選択操作に応じて、図６乃至図１０に示す画面がディスプレイ(18)に表示されると共に入力された情報が報知動作パターンテーブルに格納されることになる。
【００２８】
図１２は、上記テレビジョン受像機本体(１)のシステムコントローラ(22)によって実行されるロケータ信号送信手続きを表わしている。尚、該手続きは繰り返される。先ずステップＳ１１にてリモコン探索ボタンが押下されたか否かを判断し、リモコン探索ボタンが押下されたとき、ステップＳ１２にて、ＤＥＭＡＸ回路から供給されたＳＩ情報から現在時刻情報を抽出する。次にステップＳ１３では、メモリ内の報知動作パターンテーブルから前記現在時刻情報の表わす時刻が属する時間帯についての報知動作パターン情報及びＩＤ情報を読み出した後、ステップＳ１４にて、読み出した報知動作パターン情報及びＩＤ情報を含むロケータ信号を作成する。最後にステップＳ１５では、作成したロケータ信号の送信をロケータ送信部に指令すると共に、リモコン装置の探索中である旨を表示すべき旨のＯＳＤ制御信号をＯＳＤ表示回路に出力して、手続きを終了する。
【００２９】
上記デジタルテレビジョン受像機においては、リモコン探索ボタンを押下すれば、テレビジョン受像機本体(１)からリモコン装置(４)へその時点の時刻が属する時間帯についての報知動作パターン情報を含むロケータ信号が送信されると共に、映像合成回路(16)へＯＳＤ信号が供給されて、図５に示す如くリモコン装置の探索中である旨がディスプレイ(18)に表示される。
【００３０】
図１３は、リモコン装置(４)のシステムコントローラ(41)によって実行される報知動作制御手続きを表わしている。尚、該手続きは繰り返される。先ずステップＳ２１にて、ロケータ受信部によってロケータ信号が受信されたか否かを判断し、ノーと判断された場合は手続きを終了する一方、イエスと判断された場合にはステップＳ２２に移行して、受信されたロケータ信号の解析を行なう。次にステップＳ２３では、受信されたロケータ信号に含まれるＩＤ情報とメモリに格納されているＩＤ情報が一致するか否かを判断し、ノーと判断された場合は手続きを終了する。
一方、前記両ＩＤ情報が一致してステップＳ２３にてイエスと判断された場合には、ステップＳ２４に移行して、受信されたロケータ信号に含まれる報知動作パターン情報に応じた報知動作情報をメモリから読み出し、最後にステップＳ２５では、読み出した報知動作情報に応じて、音声発生部、振動発生部及び発光部に報知動作を指令して、手続きを終了する。
【００３１】
上記リモコン装置(４)においては、上述の如くテレビジョン受像機本体(１)から送信されたロケータ信号が受信されたとき、該ロケータ信号に含まれる報知動作パターン情報に応じて、音声発生部(48)、振動発生部(49)或いは発光部(50)が動作することにより、リモコン装置(４)の位置がユーザに報知される。
【００３２】
例えば、１７時にリモコン探索ボタンが押下された場合には、テレビジョン受像機本体(１)では、図３に示す報知動作パターンテーブルから午後についての報知動作パターン情報が読み出され、該報知動作パターン情報を含むロケータ信号がリモコン装置(４)へ送信される。
リモコン装置(４)では、メモリ(47)から前記報知動作パターン情報に応じた報知動作情報が読み出され、該報知動作情報に応じた報知動作が行なわれる。図３に示す如く、報知方法情報は“光のみの発生による報知”、報知種別情報は“７色での発光パターン”、報知レベルは“高速レベル”を表わしているので、発光部(50)が黄色、青色、赤色、緑色、ピンク色、オレンジ色及び消灯と５０ｍ秒周期で切り替わることにより報知が行なわれることになる。
【００３３】
本発明に係るデジタルテレビジョン受像機によれば、リモコン探索ボタンが押下された時間帯に応じた適切な動作パターンで報知動作が行なわれる。例えば、深夜にリモコン装置(４)の探索が行なわれた場合には、通常レベルの強さの振動が発生することにより報知が行なわれることとなり、周囲に迷惑をかけることはない。
又、本発明に係るデジタルテレビジョン受像機によれば、リモコン探索ボタンが押下された時間帯に応じて報知動作が自動的に変更されるので、時間帯が変わる度に報知動作を変更する操作は不要である。
【００３４】
尚、本発明の各部構成は上記実施の形態に限らず、特許請求の範囲に記載の技術的範囲内で種々の変形が可能である。
例えば、上記実施の形態においては、テレビジョン受像機本体(１)のシステムコントローラ(22)は、テレビジョン放送信号に含まれるＳＩ情報から現在時刻情報を抽出して、該現在時刻情報に応じた報知動作パターン情報を報知動作パターンテーブルから読み出しているが、内蔵されている時計回路(図示省略)から現在時刻情報を取得して、該現在時刻情報に応じた報知動作パターン情報を報知動作パターンテーブルから読み出すことも可能である。
又、本発明はテレビジョン受像機に限らず、カーナビゲーション装置、オーディオプレーヤ等、種々の可搬型のリモートコントロール機能付き電子機器に実施することが可能である。
【図面の簡単な説明】
【００３５】
【図１】本発明に係るデジタルテレビジョン受像機のテレビジョン受像機本体の構成を示すブロック図である。
【図２】上記デジタルテレビジョン受像機のリモコン装置の構成を示すブロック図である。
【図３】報知動作パターンテーブルを表わす図である。
【図４】上記リモコン装置の操作キーを表わす平面図である。
【図５】ロケータ信号の送信中にディスプレイに表示される画面を表わす図である。
【図６】メインメニュー画面を表わす図である。
【図７】ロケータリモコン設定画面を表わす図である。
【図８】報知方法設定・確認画面を表わす図である。
【図９】報知方法詳細設定画面を表わす図である。
【図１０】報知方法詳細設定画面において報知方法が選択された状態を表わす図である。
【図１１】報知動作パターンテーブル変更手続きを表わすフローチャートである。
【図１２】ロケータ信号送信手続きを表わすフローチャートである。
【図１３】報知動作制御手続きを表わすフローチャートである。
【符号の説明】
【００３６】
(１)  テレビジョン受像機本体
(18)  ディスプレイ
(21)  スピーカ
(22)  システムコントローラ
(23)  ＯＳＤ表示回路
(24)  メモリ
(27)  リモコン受光素子
(29)  ロケータ送信アンテナ
(４)  リモコン装置
(41)  システムコントローラ
(43)  リモコン発光素子
(45)  ロケータ受信アンテナ
(47)  メモリ
(48)  音声発生部
(49)  振動発生部
(50)  発光部
【図１】
2009060212.tif 000003
【図２】
2009060212.tif 000004
【図３】
2009060212.tif 000005
【図４】
2009060212.tif 000006
【図５】
2009060212.tif 000007
【図６】
2009060212.tif 000008
【図７】
2009060212.tif 000009
【図８】
2009060212.tif 000010
【図９】
2009060212.tif 000011
【図１０】
2009060212.tif 000012
【図１１】
2009060212.tif 000013
【図１２】
2009060212.tif 000014
【図１３】
2009060212.tif 000015